(57)【特許請求の範囲】
【請求項１】
他の装置との通話中に外部からの警報信号を受信した場合、警報音を出力する音響装置を有するインターホン装置において、
前記警報信号を受信すると、警報音制御信号を出力する制御回路と、
前記警報音制御信号を増幅して前記音響装置に出力させる増幅器とを備え、
前記制御回路は警報信号を受信すると、所定時間、前記増幅器の増幅率を下げ、所定時間経過すると、前記増幅率を通常の増幅率に戻すことを特徴とするインターホン装置。
【発明の詳細な説明】
【０００１】
【発明の属する技術分野】
本発明は、集合住宅や一戸建て住戸等に設けられるインターホン装置に係り、特に、火災感知器等の警報機器が接続され、警報機器からの警報信号により警報音を発する機能を備えたインターホン装置に関するものである。
【０００２】
【従来の技術】
従来のインターホン装置は、住戸の玄関の外に設けられたドアホン、集合住宅の場合には更に、ロビーに設けられた集合玄関機及び管理人室機と接続され、ドアホン又は集合玄関機又は管理人室機からの呼出に応じて、インターホン装置に設けられたスピーカから呼出音が流れ、居住者等は送受話器を取り上げて又は通話ボタンを押して呼出者と通話するものである。また、インターホン装置には、住戸内に設けてある警報機器、例えば火災感知器、ガス漏れ検知器、防犯センサ等が更に接続され、火災、ガス漏れ、侵入等が検知された場合の警報機器からの警報信号により警報音をスピーカから出力する機能を有している。なお、この警報音は住戸者に注意を促すものであるという性質から、比較的大きな音で出力されている。そして、例えばドアホンとの通話中に火災信号を検知した場合、送受話器のスピーカからも警報音が出力されるようになっている。
【０００３】
【発明が解決しようとする課題】
しかしながら、従来のインターホン装置において、例えばドアホンに訪れた訪問者との通話中に警報信号が検知された場合、スピーカ又は送受話器のスピーカから出力される警報音は、通常の通話中にこれらのスピーカから出力される受話音声より大きな音となっている。このため、居住者等は、突然の大きな警報音により動揺してしまい、的確な対応ができなくなる等の問題点があった。
【０００４】
本発明は上記の課題を解決するためになされたものであり、他の装置（ドアホン又は集合玄関機又は管理人室機）との通話中に音響装置から警報音を出力する場合、警報信号を検知してから所定時間においては、音量を下げて出力するインターホン装置を提供することを目的とする。
【０００５】
【課題を解決するための手段】
本発明に係るインターホン装置は、他の装置との通話中に外部からの警報信号を受信した場合、警報音を出力する音響装置を有するインターホン装置において、警報信号を受信すると、警報音制御信号を出力する制御回路と、警報音制御信号を増幅して音響装置に出力させる増幅器とを備え、制御回路は警報信号を受信すると、所定時間、増幅器の増幅率を下げ、所定時間経過すると、増幅率を通常の増幅率に戻すものである。
【０００６】
【発明の実施の形態】
図１は本発明の一実施の形態の構成を示す回路図、図２は本発明の一実施の形態の住宅情報盤の構成を示すブロック図、図３は本発明の一実施の形態の火災信号受信時の処理の流れを示すフローチャート、図４は防犯設備及びインターホン設備の系統図であり、図５は図４の系統図において、各住戸に設けられるインターホン機能を備えた住戸機にさらに防犯機能を備えてなる住宅情報盤（以下、「住情盤」と略す）の正面概略図である。
【０００７】
ここで、本発明の特徴を示す図１の説明に先立って、インターホン装置が適用される全体のシステムを図４及び図５に基づいてまず説明する。
【０００８】
図４において、ＴＣは通話制御装置、ＶＣは映像制御装置、ＥＰ１〜ＥＰｋは、マンションなどの集合住宅の集合玄関に設けられたロビーインターホン（集合玄関機）、ＳＭ１、ＳＭ２は、集合住宅の管理室及び管理人住戸に設けられた管理人インターホン（管理人室機）、ＳＭＰは通話制御装置ＴＣと管理人インターホンＳＭ１とを１つのケースに収容した管理人親機、Ｊ１〜Ｊｎは集合住宅の各住戸に設けられたインターホン機能を備えた住戸機に更に防犯機能を備えた住情盤である。なお、住情盤Ｊ１〜Ｊｎにはメモリ内蔵のマイクロコンピュータ３（図２参照）が備えられており、マイクロコンピュータ３はメモリに格納されているプログラムにより各種の動作処理を行う。なお、本発明において防犯機能は必須のものではないため、住情盤Ｊ１〜Ｊｎをインターホン機能を備えたインターホン装置に代えても良い。
また、Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
【０００９】
また、図４で１は住戸内に設けられ、後述のドアホンを介して住情盤Ｊ１〜Ｊｎに接続された警報機器の一例である火災感知器で、火災を検知すると住情盤Ｊ１〜Ｊｎに警報信号の一例である火災信号Ｓ（図２参照）を送信する。なお、火災感知器１から送信された火災信号Ｓは、住情盤Ｊ１〜Ｊｎから各住戸の火災監視を行う住棟受信機２へ送信されるようになっている。住棟受信機２では、住情盤Ｊ１〜Ｊｎから火災信号Ｓを受信すると、火災発生元の住戸近傍であって、火災の影響が大きいと思われる範囲の住戸（例えば出火階及び直上階の住戸）の住情盤Ｊ１〜Ｊｎへ火災信号Ｓを送信する。ＤＰ１〜ＤＰｎは各住戸の玄関の外に設けられ、その住戸の住情盤Ｊ１〜Ｊｎと火災感知器１に接続されたドアホンで、住戸内の火災感知器１の動作点検を住戸外で行うための中継器としての機能を備えたものである。
なお、図示は省略しているが、管理人室内にも火災感知器１が設けられており、管理人室の住情盤あるいは管理人室機ＳＭ１及び管理人室機ＳＭ２に接続されている。
【００１０】
ＳＥ１は監視線ＬＳ２１〜ＬＳ２ｎによって住情盤Ｊ１〜Ｊｎに接続された警報機器の一例である各住戸の玄関の防犯センサ、ＳＥ２〜ＳＥｎは監視線ＬＳ２１〜ＬＳ２ｎによって住情盤Ｊ１〜Ｊｎに接続された各住戸の玄関以外の部分（例えばベランダに面した窓など）に設けられた防犯センサである。なお、図４には、各住戸の玄関部分に設けられた防犯センサＳＥ１を、玄関以外の部分に設けられた防犯センサＳＥ２〜ＳＥｎと同系統の監視線ＬＳ２１〜ＬＳ２ｎに接続した場合を示しているが、別系統の監視線ＬＳ１１〜ＬＳ１ｎに接続して、防犯センサＳＥ２〜ＳＥｎとは別の監視をさせるようにしても良い。
【００１１】
図５において、ＨＳはインターホンのハンドセット（送受話器）で、後で説明する図１に示すように居住者等の音声を集音するマイクＭＩＣ、集合玄関機ＥＰ１〜ＥＰｋ又はドアホンＤＰ１〜ＤＰｎ又は管理人室機ＳＭ１，ＳＭ２からの受話音声並びに警報音等を出力する音響装置の一例であるスピーカＳＰＫ２を有している。ＳＰＫ１はインタホンの呼出音、管理室からの放送、警報音等を出力する音響装置の一例であるスピーカ、ＭＮは集合玄関機ＥＰ１〜ＥＰｋの図示しないテレビカメラから送られてくる訪問者の映像を映すＣＲＴあるいはＬＣＤ等のモニタテレビである。
また、ＬＰ１〜ＬＰ５は各種表示灯で、例えばＬＰ１は電源灯、ＬＰ２は玄関機ＥＰ１〜ＥＰｋからの呼出であることを示すロビー灯、ＬＰ３はドアホンからの呼出であることを示すドアホン灯、ＬＰ４は管理室からの呼出であることを示す管理室灯、ＬＰ５は防犯警戒中であることを示す警戒中灯である。
【００１２】
また図５で、ＳＷ１〜ＳＷ６は各種スイッチ（非ロック式押しボタンスイッチ）で、例えば、ＳＷ１は、在宅防犯モード（在宅モード）または外出防犯モード（外出モード）のいずれかを選択して設定する選択設定スイッチと、各防犯モードの解除スイッチを兼ねた防犯スイッチ、ＳＷ２は管理人呼出スイッチ、ＳＷ３は音響停止スイッチ、ＳＷ４は例えば火災、ガス漏れ等の事故の復旧スイッチ、ＳＷ５は非常通報スイッチ、ＳＷ６は集合玄関の自動ドアを解錠するための解錠スイッチである。
【００１３】
また図５では、各防犯センサＳＥ１〜ＳＥ２の一例として、監視線ＬＳ２に直列に設けられたリードスイッチＬＳＷと、各住戸のドアや窓に取り付けるリードスイッチＬＳＷのオンオフ用の磁石ＭＧを図示している。このセンサＳＥ１〜ＳＥ２はドアや窓が戸締まりされているとリードスイッチＬＳＷが磁石ＭＧによりオンする。なお、センサとしては他の形式のものを用いても良い。
【００１４】
ここで、まず、住情盤Ｊ１〜Ｊｎのインターホン機能の動作を集合玄関機ＥＰ１〜ＥＰｋとの間の例で説明する。
訪問者が例えば集合玄関機ＥＰ１の図示しないテンキーを操作して訪問すべき部屋番号例えば１０２を入力し、次に図示しない呼出スイッチを押すと、集合玄関機ＥＰ１から制御線Ｌ１１を介して通話制御装置ＴＣに部屋コードと呼出コードからなる呼出信号が送出される。通話制御装置ＴＣは集合玄関機ＥＰ１から呼出信号を受信すると、空いている通話線、映像線を調べ、第２通話線と第２映像線とが使用中であれば、呼出信号と第１通話線Ｌ２２及び第１映像線Ｌ４２の通話・映像線指定命令を制御線Ｌ１２を介して１０２号室の住情盤Ｊ２に送出すると共に、第１映像線Ｌ４１の映像線指定命令を制御線Ｌ１１を介して集合玄関機ＥＰ１に送出する。また、映像制御装置ＶＣに映像線Ｌ４１とＬ４２を接続する命令を送出する。これにより、集合玄関機ＥＰ１では、図示しないテレビカメラを起動すると共に、第１映像線Ｌ４１を図示しない映像用接続スイッチで接続し、第１映像線Ｌ４１に訪問者の映像信号を送出する。
【００１５】
また、１０２号室の住情盤Ｊ２は、制御線Ｌ１２を通じ受信した呼出信号と第１通話線Ｌ２２および第１映像線Ｌ４２の通話・映像線指定命令により、図示しない通話用と映像用の各接続スイッチを制御して第１通話線Ｌ２２及び第１映像線Ｌ４２をそれぞれ接続する。また、スピーカＳＰＫ１から呼出音を発し、ロビー灯ＬＰ２を点灯し、モニタテレビＭＮを起動して第１映像線Ｌ４２により送られてくる映像信号による映像を放映する。
【００１６】
住情盤Ｊ２でハンドセットＨＳが取り上げられると、フックスイッチＦＳＷ（図１参照）がオンし、住情盤Ｊ２から通話制御装置ＴＣに制御線Ｌ１２を介してフックオン信号が送出される。通話制御装置ＴＣは住情盤Ｊ２からフックオン信号を受信すると、集合玄関機ＥＰ１に対し第１通話線Ｌ２１の通話線指定命令を送出し、この命令により集合玄関機ＥＰ１は図示しない通話用接続スイッチを制御して第１通話線Ｌ２１を接続する。これにより集合玄関機ＥＰ１と住情盤Ｊ２との間の通話路が形成され、訪問者からの受話音声はスピーカＳＰＫ２から、マイクにより集音された居住者等の音声は集合玄関機ＥＰ１から流れ、訪問者と１０２号室の居住者との間で通話が行われる。
集合玄関に入館用の自動ドアがある場合には、住情盤Ｊ２の解錠スイッチＳＷ６を操作すると制御線Ｌ１２、Ｌ１１を介して集合玄関機ＥＰ１の電気錠に解錠信号が送られ、自動ドアが開放される。
【００１７】
また、通話が終了して住情盤Ｊ２のハンドセットＨＳを元に戻すと、住情盤Ｊ２から制御線Ｌ１２を介して通話終了信号が通話制御装置ＴＣに送られ、該通話制御装置ＴＣは住情盤Ｊ２、集合玄関機ＥＰ１並びに映像制御装置ＶＣに終了命令を送出する。これにより、集合玄関機ＥＰ１はテレビカメラをオフすると共に第１通話線Ｌ２１と第１映像線Ｌ４１の各接続スイッチを開放し、住情盤Ｊ２はモニタテレビＭＮをオフすると共に第１通話線Ｌ２２と第１映像線Ｌ４２の各接続スイッチを開放し、映像制御装置ＶＣは第１通話線Ｌ２１と第１映像線Ｌ４１の接続を解放する。この結果第１通話線と第１映像線とは解放される。
【００１８】
上記の説明により住情盤Ｊ１〜Ｊｎの動作が明らかになったところで、次に本実施の形態の特徴を示す図１及び図２を説明する。なお、上述した図４と同一部分には同一符号を付し説明を省略する。
ＬＦはノイズ吸収用のラインフィルタ、ＦＳＷはハンドセットＨＳが取り上げられることによりオンするフックスイッチ、ＡＰ１〜ＡＰ６はそれぞれ入力信号を増幅する増幅器、Ｒ１は増幅器ＡＰ３の増幅率を下げ、スピーカＳＰＫ１及びスピーカＳＰＫ２から出力される音量を制御するための抵抗である。ＳＷ１１〜ＳＷ１６はスイッチで、それぞれマイクロコンピュータ３からの切替信号Ｌ＿Ｐ１１〜Ｌ＿Ｐ１６に基づきオン／オフが切り替わる。なお、スイッチＳＷ１１〜ＳＷ１６のそれぞれは通常時、オフになっている。
【００１９】
３は既に参照したようにメモリ内蔵のマイクロコンピュータで、信号ＡＮによってフックスイッチＦＳＷのオン／オフのチェックを行っており、フックスイッチＦＳＷのオン／オフに基づき、スイッチＳＷ１１〜ＳＷ１６のオン／オフをそれぞれ切り替えるための切替信号Ｌ＿Ｐ１１〜Ｌ＿Ｐ１６を出力する一方、火災感知器１又は住棟受信機２から火災信号Ｓを受信すると、後述の音声合成ＩＣ４に音声出力を指示するための音声制御信号ＣＳを出力すると共に、火災感知器１から火災信号Ｓを受信した場合には、住棟受信機２へ火災信号Ｓを送出する。４は警報音や例えば「火災です」等の合成音声ＡＯＵＴを出力する音声合成ＩＣ、５は火災感知器１とマイクロコンピュータ３間のインターフェースである。６は音声部で、該音声部６の動作については、以下に詳述する。
【００２０】
次に、本実施の形態の動作を図３を参照しながら説明する。
なお、ここでは、他の装置（ドアホンＤＰ１〜ＤＰｎ又は集合玄関機ＥＰ１〜ＥＰｋ又は管理人室機ＳＭ１，ＳＭ２）からの音声信号が住情盤Ｊ１〜Ｊｎに入力された後の住情盤Ｊ１〜Ｊｎ内の動作を主に説明し、その前の動作については、上述の図５の説明と重複するため省略する。
【００２１】
集合玄関機ＥＰ１〜ＥＰｋ又は管理人室機ＳＭ１，ＳＭ２からの呼出によってスピーカＳＰＫ１から呼出音が流れ、該呼出音を聞いた居住者等によりハンドセットＨＳが取り上げられると、フックスイッチＦＳＷがオンする。マイクロコンピュータ３は信号ＡＮによりフックスイッチＦＳＷのオン／オフをチェックしており、フックスイッチＦＳＷがオンしたことを検出すると、スイッチＳＷ１４及びスイッチＳＷ１５をオンにするための切替信号Ｌ＿Ｐ１４及びＬ＿Ｐ１５をそれぞれ送出する。これにより集合玄関機ＥＰ１〜ＥＰｋ又は管理人室機ＳＭ１，ＳＭ２と住情盤Ｊ１〜Ｊｎの通話路が形成され、訪問者の音声信号はラインフィルタＬＦでノイズ吸収され、増幅器ＡＰ１及び増幅器ＡＰ３によって増幅され、ハンドセットＨＳのスピーカＳＰＫ２から出力される。居住者等の音声はマイクＭＩＣで集音され、増幅器ＡＰ５で増幅され、第１通話線Ｌ２２又は第２通話線Ｌ３２を介して伝送され、集合玄関機ＥＰ１〜ＥＰｋ又は管理人室機ＳＭ１，ＳＭ２の図示しないスピーカから出力される。
【００２２】
ドアホンＤＰ１〜ＤＰｎからの呼出の場合、フックスイッチＦＳＷがオンすると、マイクロコンピュータ３からスイッチＳＷ１３及びＳＷ１５をオンするための切替信号Ｌ＿Ｐ１３及びＬ＿Ｐ１５がそれぞれ送出され、ドアホンＤＰ１〜ＤＰｎからの音声信号が増幅器ＡＰ２及び増幅器ＡＰ３で増幅されてスピーカＳＰＫ２から出力され、マイクＭＩＣで集音された居住者等の音声は、増幅器ＡＰ５及びＡＰ６で増幅されてドアホンＤＰ１〜ＤＰｎの図示しないスピーカから出力される。
【００２３】
一方、火災感知器１は火災の検知を常時行っており、火災を検知すると、火災信号を出力する。この火災信号Ｓはインターフェース５を介して住戸内の住情盤Ｊ１〜Ｊｎのマイクロコンピュータ３へ入力され、次いでマイクロコンピュータ３から住棟受信機２へ送出される。住棟受信機２は火災信号Ｓが入力されると、火災発生元の住戸近傍であって、火災の影響が大きい思われる範囲の住戸（例えば出火階及び直上階の住戸）へ火災信号Ｓを送出し、該火災信号Ｓは該当の住戸住情盤Ｊ１〜Ｊｎのマイクロコンピュータ３へ入力される。
【００２４】
マイクロコンピュータ３は、自住戸内の火災感知器１からの火災信号Ｓ又は他の住戸で発生した火災による住棟受信機２からの火災信号Ｓを受信すると、（Ｓ１）、スイッチＳＷ１６をオンにするための切替信号Ｌ＿Ｐ１６を送出すると共に、音声制御信号ＣＳを送出して（Ｓ２）、警報音や例えば「火災です」等の音声信号ＡＯＵＴを出力させるよう音声合成ＩＣ４に指示する。そして、フックスイッチＦＳＷがオン／オフどちらであるかをチェックし、オンの場合には（Ｓ３）、通話よりも警報音を優先してスピーカＳＰＫ２から出力させるため、スイッチＳＷ１３及びスイッチＳＷ１５（ドアホンＤＰ１〜ＤＰｎと通話中の場合）、又はスイッチＳＷ１４及びスイッチＳＷ１５（集合玄関機ＥＰ１〜ＥＰｋ又は管理人室機ＳＭ１，ＳＭ２と通話中の場合）をオフにするための対応する切替信号を送出して、他の装置との通話を切断させると共に、スイッチＳＷ１２をオンにするための切替信号Ｌ＿Ｐ１２を出力する（Ｓ４）。この場合、音声合成ＩＣ４からの音声信号ＡＯＵＴは、矢印Ａの径路で伝送されてスピーカＳＰＫ２及びスピーカＳＰＫ１から出力されることとなるが、増幅器ＡＰ３の増幅率が抵抗Ｒ１によって下げられているので、スピーカＳＰＫ２及びスピーカＳＰＫ１から出力される音は小さくなる。なお、ＳＰＫ１からは、自住戸内へ警報を発するため音声信号ＡＯＵＴが増幅器ＡＰ４にて更に増幅されて出力される。
【００２５】
なお、ステップＳ２をステップＳ４，Ｓ７の後にそれぞれ行ってもよい。
そして、マイクロコンピュータ３は、火災信号Ｓを受信してから所定時間（例えば２秒間）経過すると（Ｓ５）、スイッチＳＷ１２をオフにするための切替信号Ｌ＿Ｐ１２及びスイッチＳＷ１１をオンにするための切替信号Ｌ＿Ｐ１１を送出する（Ｓ６）。この場合、音声信号ＡＯＵＴは矢印Ｂの径路で伝送され、スピーカＳＰＫ１から、増幅器ＡＰ３による増幅後の音声信号ＡＯＵＴを更に増幅器ＡＰ４にて所定レベル（例えば７０ホン）まで増幅された音声信号ＡＯＵＴが出力される。一方、ハンドセットＨＳのスピーカＳＰＫ２からは、フックスイッチＦＳＷがオン状態であれば、増幅器ＡＰ３によって増幅された音声信号ＡＯＵＴが出力される。ただ、前記所定の時間は、居住者等がハンドセットＨＳから出力される警報音を聞いた後、住戸内の火災の発生元のチェック等を行うために耳元からハンドセットＨＳを離す時間又はハンドセットＨＳを所定の位置に戻すのに要する時間等を目安として選ばれた時間であるので、居住者等によって、警報音に基づき前記所定時間が経過する前にハンドセットＨＳが所定の位置に戻されていれば、フックスイッチＦＳＷはオフ状態となっているので、スピーカＳＰＫ２からは出力されず、スピーカＳＰＫ１からのみの出力となる。
【００２６】
なお、フックスイッチＦＳＷがオフの場合（Ｓ３）には、スイッチＳＷ１１をオンにするための切替信号Ｌ＿Ｐ１１を送出する（Ｓ７）。この場合、音声合成ＩＣからの音声信号は、矢印Ｂの径路で伝送され増幅器ＡＰ３及び増幅器ＡＰ４で増幅されスピーカＳＰＫ１から所定のレベル（例えば７０ホン）で出力される。
【００２７】
居住者等は、スピーカＳＰＫ１又はＳＰＫ２から出力される警報音に基づいて、火災の発生元のチェックを行う等し、そして、音響停止スイッチＳＷ３を操作して警報音を停止させ、復旧スイッチＳＷ６を操作して火災等の事故からの復旧を行う。
【００２８】
本実施の形態によれば、他の装置との通話中に警報の一例である火災が検知された場合、音響装置の一例であるスピーカＳＰＫ１及びハンドセットＨＳのスピーカＳＰＫ２から出力する警報音の音量を所定の時間、下げるようにしたので、従来のように警報音によって居住者等が動揺するのを防止することができ、居住者等は適切な対応を行うことが可能となる。
【００２９】
本実施の形態では、警報機器の警報信号として火災感知器１の火災信号Ｓを例に説明したが、これに限られたものではなく、例えばガス漏れ検知器のガス漏れ信号、防犯センサＳＥ１〜ＳＥｎの侵入信号等を受信した場合に、警報音の音量を下げるようにしてもよい。
【００３０】
また、本実施の形態では、ハンドセットＨＳを有するインターホン装置を例に説明したが、ハンドセットＨＳを有さないハンズフリーのインターホン装置においては、住情盤Ｊ１〜ＪｎのスピーカＳＰＫ１の直近で通話を行うため、スピーカＳＰＫ１から出力される警報音の音量を所定時間下げることで、警報音によって通話者等が動揺することを防止することができる。
【００３１】
また、本実施の形態では、マイクロコンピュータ３は音声制御信号を音声合成ＩＣ４に出力し、音声合成ＩＣ４からの出力を音響装置から警報音として出力することを例にして説明したが、マイクロコンピュータ３から直接音響装置に警報信号を出力して音響装置から警報音を出力するようにしてもよい。
なお、音響装置は、スピーカの他に、警報音を出力するためにブザーを別途設けるようにしてもよい。
【００３２】
なお、本実施の形態では、抵抗Ｒ１によって増幅器ＡＰ３の増幅率を制御する場合を例に説明したが、これに限られたものではなく、例えば増幅器ＡＰ３に並列に接続した抵抗Ｒ３又は抵抗Ｒ２と並列に抵抗Ｒ１とスイッチＳＷ１２を設けることによって制御するようにしても良い。
【００３３】
また、本実施の形態では、住情盤Ｊ１〜Ｊｎが集合玄関ＥＰ１〜ＥＰｋ等を有する集合住宅に設けられている場合を例に説明したが、もちろん一戸建て住戸であっても良く、この場合も、上記と同等の効果を得ることができる。但し、一戸建て住戸の場合には住棟受信機２は設けられていないため、住棟受信機２から火災信号を受信することはない。
【００３４】
また、本実施の形態では、住情盤Ｊ１〜Ｊｎにおいて本発明を実施した場合を例に説明したが、管理人室機ＳＭ１，ＳＭ２においても同様に本発明を実施することができる。
【００３５】
【発明の効果】
以上の説明から明らかなように、本発明のインターホン装置によれば、次の効果を得ることができる。
【００３６】
他の装置との通話中に警報が検知された場合、音響装置から出力する警報音の音量を所定の時間、下げるようにしたので、従来のように警報音によって居住者等が動揺するのを防止することができ、居住者等は適切な対応を行うことが可能となる。
【００３７】
【図面の簡単な説明】
【図１】本発明の一実施の形態の構成を示す回路図である。
【図２】本発明の一実施の形態の住情盤の構成を示すブロック図である。
【図３】本発明の一実施の形態の火災信号受信時の処理の流れを示すフローチャートである。
【図４】防犯設備及びインターホン設備の系統図である。
【図５】図４の住宅情報盤の正面概略図である。
【符号の説明】
Ｊ１〜Ｊｎ  住情盤（インターホン装置）
ＯＰ３  増幅器（増幅器）
ＨＳ  ハンドセット
ＳＰＫ１，ＳＰＫ２  スピーカ
ＭＩＣ  マイク
Ｓ  火災信号
１  火災感知器
２  住棟受信機
３  マイクロコンピュータ（制御回路）
【図１】
0003890489.tif 000002
【図２】
0003890489.tif 000003
【図３】
0003890489.tif 000004
【図４】
0003890489.tif 000005
【図５】
0003890489.tif 000006